(57)【要約】【課題】下地である合板基材の色が透けて見えないと共に対クラック性を向上できながら、接着剤層の厚みを厚くできて対凹み性を向上できる建築板を提供する。【解決手段】合板基材１の上に粒径が１０〜１００μｍの粒子２を混入した接着剤３により紙４を介して突板５を接着して建築板６を形成する。粒子２が硬質粒子である。また、粒子２は着色してある。【選択図】        図１
2004255678.tif 000002
【特許請求の範囲】
【請求項１】
合板基材に粒径が１０〜１００μｍの粒子を混入した接着剤により紙を介して突板を接着して成ることを特徴とする建築板。
【請求項２】
粒子が硬質粒子であることを特徴とする請求項１記載の建築板。
【請求項３】
粒子が無機粒子であることを特徴とする請求項１又は請求項２記載の建築板。
【請求項４】
粒子が紙に食い込んでいることを特徴とする請求項１乃至請求項３のいずれかに記載の建築板。
【請求項５】
粒子が着色してあることを特徴とする請求項１乃至請求項４のいずれかに記載の建築板。
【発明の詳細な説明】
【０００１】
【発明の属する技術分野】
本発明は合板基材の上に紙を介して突板を積層した建築板及びその製造方法にに関するものである。
【０００２】
【従来の技術】
従来から合板基材の上に接着剤を塗布し、その上に突板を載せてホットプレスにより一体に積層した建築板が知られている。この従来例にあっては、突板の厚さが０．２５〜０．３ｍｍと薄いため、下地である合板基材の色が透けてしまい、このため、突板の表面に着色する色として淡い色を着色できなかった。
【０００３】
また、合板基材の上に接着剤を塗布し、その上に紙や不織布を載せ、紙や不織布の上に接着剤を塗布し、その上に突板を載せてホットプレスすることで、合板基板とにより積層一体化するものも知られている。（例えば特許文献１参照）
ところが、この従来例にあっては、紙や不織布を介在させると接着剤層の厚みを確保できず、対凹み性を向上することができないという問題がある。
【０００４】
【特許文献１】
特開平８−３３２６０７号公報
【０００５】
【発明が解決しようとする課題】
本発明は上記の点に鑑みてなされたものであり、下地である合板基材の色が透けて見えないと共に対クラック性を向上できながら、接着剤層の厚みを厚くできて対凹み性を向上できる建築板を提供することを課題とするものである。
【０００６】
【課題を解決するための手段】
上記課題を解決するために本発明に係る建築板は、合板基材１の上に粒径が１０〜１００μｍの粒子２を混入した接着剤３により紙４を介して突板５を接着して成ることを特徴とするものである。このような構成とすることで、合板基材１と突板５との間に紙４が介在してあるため、合板基材１の色が透けて見えず、また、このように紙４を介在したものにおいて、接着剤３に粒径が１０〜１００μｍの粒子２を混入してあることで、接着剤３の層を厚くできて対凹み性を向上させることができるものである。
【０００７】
また、粒子２が硬質粒子であることが好ましい。このような構成とすることで、対凹み性をより向上させることができるものである。
【０００８】
また、粒子２が無機粒子であることが好ましい。このような構成とすることで、ホットプレスによりプレスする際に粒子２が熱的影響を受けて潰れることがなくて接着剤３の層を確実に厚く確保できるものであり、また、酸化チタンやアルミナ等を利用することで簡単に硬質粒子を容易に得ることができるものである。
【０００９】
また、粒子２が紙４に食い込んでいることが好ましい。このような構成とすることで、接着剤３の層と紙４との一体化が図れるものである。
【００１０】
また、粒子２が着色してあることが好ましい。このような構成とすることで、突板５に着色する色に対応して粒子２を着色することで、突板５の表面の色に対応することができるものである。
【００１１】
【発明の実施の形態】
以下、本発明を添付図面に示す実施形態に基づいて説明する。
【００１２】
本発明の建築板６は合板基材１の上に粒径が１０〜１００μｍの粒子２を混入した接着剤３により紙４を介して突板５を接着して構成してある。
【００１３】
このような建築板６は例えば、合板基材１の上に、粒径が１０〜１００μｍの粒子２（例えば酸化チタン、アルミナ、カーボン等の無機粒子、あるいはＰＥＴやＰＰ等の樹脂粒子）を５〜５０重量％添加した接着剤３を塗布（塗布量５〜１５ｇ／尺２）し、その後、目付け１０〜１００ｇ／ｍ２の紙４を載せ、更に、紙４の上に粒径が１０〜１００μｍの粒子２（例えば酸化チタン、アルミナ、カーボン等の無機粒子、あるいはＰＥＴやＰＰ等の樹脂粒子）を５〜５０重量％添加した接着剤３を塗布（塗布量５〜１５ｇ／尺２）し、その上に０．２〜０．４ｍｍ厚の突板５を載せてホットプレス（７ｋｇ／ｍ２、１２０℃、６０秒）を行って図１に示すような層構成の建築板６を形成する。
【００１４】
他の製造方法としては、合板基材１の上に、粒径が１０〜１００μｍの粒子２（例えば酸化チタン、アルミナ、カーボン等の無機粒子、あるいはＰＥＴやＰＰ等の樹脂粒子）を５〜５０重量％添加した接着剤３を塗布（塗布量５〜１５ｇ／尺２）し、その後、目付け１０〜１００ｇ／ｍ２の紙４を載せた後、ホットプレス（７ｋｇ／ｍ２、１２０℃、６０秒）を行い、冷却した後に、紙４の上に粒径が１０〜１００μｍの粒子２（例えば酸化チタン、アルミナ、カーボン等の無機粒子、あるいはＰＥＴやＰＰ等の樹脂粒子）を５〜５０重量％添加した接着剤３を塗布（塗布量５〜１５ｇ／尺２）し、その上に０．２〜０．４ｍｍ厚の突板５を載せてプレスを行って（例えば、ホットプレス（７ｋｇ／ｍ２、１２０℃、６０秒）を行って）図１に示すような層構成の建築板６を形成してもよい。
【００１５】
上記のようにして形成した建築板６は、合板基材１の上に接着剤３により紙４を介して突板５を接着してあるので、紙４による遮蔽効果で薄い突板５の表面側に下地である合板基材１の色が透けて見えないものであり、このため、突板５の表面に透明のトップコートや淡い色を着色しても合板基材１の色が透けて見えない。
【００１６】
ここで、本発明においては接着剤３中に粒径が１０〜１００μｍの無機又は樹脂の粒子２を混入してあるため、上記プレスにおいて紙４は薄くなるが粒子２は潰れず、厚みの厚い接着剤３の層を形成できるものである。この場合、粒子２の一部が紙４に食い込んで紙４と接着剤３の層との一体化が図れるものである。粒子２としては上記のように無機又は樹脂の粒子２のいずれであってもよいが、無機粒子を採用するとホットプレスの際に熱の影響で潰れず、より確実に厚みの厚い接着剤３の層を形成できて突板４の対クラック性及び対凹み性を向上でき、また、粒子２として硬質粒子（例えば酸化チタン、アルミナなど）を用いるとホットプレスの際により潰れにくくて厚みの厚い接着剤３の層を形成できると共に、硬質粒子が混入された接着剤３の層によっていっそう対凹み性を向上できるものである。
【００１７】
このように、本発明の建築板６は対凹み性を向上できるので床材として使用しても何ら問題がないものである。
【００１８】
接着剤３に混入する無機又は樹脂の粒子２に白色又は突板５の色又は突板５に塗布する塗料と同色の着色を行うことで接着剤３を着色するようにしてもよく、この場合は、突板４の表面色を安定させることができ、また、着色することなく、粒子２の材料の色が白色又は突板４の色に合わせた色又は突板５に塗布する塗料と同色のものを使用してもよい。また、介在させる紙４も上記の接着剤３と同色となるように着色したものを使用することでよりいっそう突板４の表面色を安定させることができるものである。
【００１９】
なお、上記実施形態では合板基材１と突板２との間に紙４を介在させたが、合板基材１の上に粒径が１０〜１００μｍの粒子２を混入した接着剤３により不織布を介して突板５を接着してもよいものである。
【００２０】
【発明の効果】
上記のように本発明の請求項１記載の発明にあっては、合板基材に粒径が１０〜１００μｍの粒子を混入した接着剤により紙を介して突板を接着してあるので、合板基材と突板との間に介在した紙により合板基材の色が透けて見えるのを防止できるだけでなく、このように紙を介在したものにおいて、接着剤に粒径が１０〜１００μｍの粒子を混入してあることで、接着剤の層を厚くできて対凹み性、対クラック性を向上させることができるものである。
【００２１】
また、請求項２記載の発明にあっては、上記請求項１記載の発明の効果に加えて、粒子が硬質粒子であるので、対凹み性をより向上させることができるものである。
【００２２】
また、請求項３記載の発明にあっては、上記請求項１又は請求項２記載の発明の効果に加えて、粒子が無機粒子であるので、ホットプレスによりプレスする際に粒子が熱的影響を受けて潰れることがなくて接着剤の層を確実に厚く確保できるものであり、また、酸化チタンやアルミナ等を利用することで簡単に硬質粒子を容易に得ることができるものである。
【００２３】
また、請求項４記載の発明にあっては、上記１乃至請求項３のいずれかに記載の効果に加えて、粒子が紙に食い込んでいるので、接着剤の層と紙との一体化が図れるものである。
【００２４】
また、請求項５記載の発明にあっては、上記請求項１乃至請求項４のいずれかに記載の発明の効果に加えて、粒子が着色してあるので、突板に着色する色に対応して粒子を着色することで、突板の表面の色に対応することができるものである。
【図面の簡単な説明】
【図１】本発明の拡大断面図である。
【符号の説明】
１  合板基材
２  粒子
３  接着剤
４  紙
５  突板
【図１】
2004255678.tif 000003